(57)【要約】【課題】手動の操作を必要とせずに、注目すべき医用データをより見易い状態で表示させる。【解決手段】時系列で取得された医用データを表示画面に時間軸を用いて表示させる医用データ表示制御装置において、医用データが取得された期間の全体または一部である対象期間において重要期間を特定する重要期間特定部１４と、表示画面上の医用データの表示を行うデータ表示領域内に対象期間の全ての医用データを一定尺度の時間軸で表示しようとした場合に取り得る時間軸の尺度の最大値よりも大きい尺度の時間軸を用いて、特定された重要期間の医用データを表示させる表示制御部１３とを備える。【選択図】図４
2014232404.tif 000002
【特許請求の範囲】
【請求項１】
時系列で取得された医用データを表示画面に時間軸を用いて表示させる医用データ表示制御装置であって、
前記医用データが取得された期間の全体または一部である対象期間において重要期間を特定する重要期間特定部と、
前記表示画面上の前記医用データの表示を行うデータ表示領域内に前記対象期間の全ての医用データを一定尺度の時間軸で表示しようとした場合に取り得る時間軸の尺度の最大値よりも大きい尺度の時間軸を用いて、前記特定された重要期間の医用データを表示させる表示制御部と
を備えた医用データ表示制御装置。
【請求項２】
前記表示制御部が、前記特定された重要期間以外の期間の医用データを、前記データ表示領域内に前記対象期間の全ての医用データを一定尺度の時間軸で表示しようとした場合に取り得る時間軸の尺度の最大値よりも小さい尺度の時間軸を用いて、表示させるものである請求項１記載の医用データ表示制御装置。
【請求項３】
前記表示制御部が、前記特定された重要期間以外の期間の医用データを非表示にするものである請求項１記載の医用データ表示制御装置。
【請求項４】
前記重要期間特定部が、
（１）手術を受けた期間、
（２）集中治療室に在室した期間、
（３）前記医用データの予め定められた回数以上閲覧された期間、
（４）予め定められた判断基準により異常と判断される医用データが発生した期間、
（５）予め定められた範囲を超えた医用データの変化が存在する期間、および
（６）予め定められた特定の薬を投与した期間
の少なくとも１つに該当する期間を前記重要期間として特定するものである請求項１から３のいずれか１項記載の医用データ表示制御装置。
【請求項５】
前記表示制御部が、前記表示画面上に一定尺度の時間軸を表示させる領域を設け、該領域上の前記重要期間に対応する位置に該重要期間が前記（１）乃至（６）のいずれに該当する期間であるかを表すマークを表示させるものである請求項４記載の医用データ表示制御装置。
【請求項６】
前記表示制御部が、前記表示されたマークに該マークに対応する前記重要期間を対応づけて記憶し、
前記表示画面上の任意の位置を指定する入力部により、前記表示されたマークのいずれかを指定するユーザによる入力に応じて、該指定されたマークに対応付けられている重要期間の医用データのみを前記データ表示領域に表示させるものである請求項５記載の医用データ表示制御装置。
【請求項７】
前記表示制御部が、前記データ表示領域内に前記対象期間の全ての医用データを一定尺度の時間軸で表示しようとした場合に取り得る時間軸の尺度の最大値を１としたときの前記特定された重要期間の医用データの表示に用いる時間軸の尺度の比率Ｒａに１より大きい値を与え、前記特定された重要期間以外の期間の医用データの表示に用いる時間軸の尺度の比率Ｒｂを、下記式（１）により決定するものである請求項２記載の医用データ表示制御装置。
Ｐｔ＝ Ｒａ×Ｐａ + Ｒｂ×Ｐｂ        ・・・・・（１）
ただし、Ｐｔは、前記対象期間の長さであり、Ｐａは、前記特定された重要期間の合計長さであり、Ｐｂは、前記対象期間のうち前記特定された重要期間以外の期間の合計長さである。
【請求項８】
時系列で取得された医用データを表示画面に時間軸を用いて表示させる医用データ表示制御方法であって、
一台または複数台のコンピュータに、
前記医用データが取得された期間の全体または一部である対象期間において重要期間を特定する重要期間特定処理と、
前記表示画面上の前記医用データの表示を行うデータ表示領域内に前記対象期間の全ての医用データを一定尺度の時間軸で表示しようとした場合に取り得る時間軸の尺度の最大値よりも大きい尺度の時間軸を用いて、前記特定された重要期間の医用データを表示させる表示制御処理と
を実行させる医用データ表示制御方法。
【請求項９】
前記表示制御処理が、前記特定された重要期間以外の期間の医用データを、前記データ表示領域内に前記対象期間の全ての医用データを一定尺度の時間軸で表示しようとした場合に取り得る時間軸の尺度の最大値よりも小さい尺度の時間軸を用いて表示させるものである請求項８記載の医用データ表示制御方法。
【請求項１０】
時系列で取得された医用データを表示画面に時間軸を用いて表示させる医用データ表示制御プログラムであって、
一台または複数台のコンピュータを、
前記医用データが取得された期間の全体または一部である対象期間において重要期間を特定する重要期間特定部と、
前記表示画面上の前記医用データの表示を行うデータ表示領域内に前記対象期間の全ての医用データを一定尺度の時間軸で表示しようとした場合に取り得る時間軸の尺度の最大値よりも大きい尺度の時間軸を用いて、前記特定された重要期間の医用データを表示させる表示制御部として機能させるための医用データ表示制御プログラム。
【請求項１１】
前記表示制御部が、前記特定された重要期間以外の期間の医用データを、前記データ表示領域内に前記対象期間の全ての医用データを一定尺度の時間軸で表示しようとした場合に取り得る時間軸の尺度の最大値よりも小さい尺度の時間軸を用いて表示させるものである請求項１０記載の医用データ表示制御プログラム。
【発明の詳細な説明】
【技術分野】
【０００１】
本発明は、時系列で取得されたデータを表示画面に表示する医用データ表示制御装置、方法及びプログラムに関するものである。
【背景技術】
【０００２】
近年、医師によって診療が行われる際、病名の診断や治療方針を決定するための参考情報として、患者について時系列で取得された種々の医用データを表示装置に表示させる処理が行われている。しかしながら、その医用データを取得する期間が長くなるほど蓄積される医用データの量が多くなり、医者などが参照したい特定の医用データを探し出すのに多くの医用データを検索しなければならず、時間がかかるという問題がある。
【０００３】
そこで、たとえば特許文献１乃至４には、患者の時系列で取得された医用データにおいて、注目する期間のユーザによる指定を受け付け、その指定された期間をブックマークに登録しておくことで、その期間のデータを後から簡単に参照できるようにする方法が開示されている。また、特許文献５には、注目すべき医用データを探し出すための参考情報として、医用データを変化が無い時期と変化が生じた時期に区分してその要約を作成し提供する方法が開示されている。また、特許文献６には、医用データの表示に用いる時間軸の尺度をユーザが段階的に切り替えられるようにすることで、ユーザが所望の時間軸の尺度で医用データを観察できるようにする方法が開示されている。
【先行技術文献】
【特許文献】
【０００４】
【特許文献１】特開２００４−２８７７７３号公報
【特許文献２】特開２００４−０２１３８０号公報
【特許文献３】特開２０１１−０４３９７１号公報
【特許文献４】特開２００８−２０４４６１号公報
【特許文献５】特開２００４−２７２８２５号公報
【特許文献６】特開２０１２−１７４０８０号公報
【発明の概要】
【発明が解決しようとする課題】
【０００５】
しかしながら、上記特許文献１乃至４に提案されている手法では、ブックマークを登録するために、注目する期間を指定する手動の操作が必要とされ、特許文献５および６に提案されている手法でも、注目する期間を指定し、医用データの表示に用いる時間軸の尺度を指定する手動の操作が必要とされ、時間と労力がかかるという問題がある。
【０００６】
本発明は、上記事情に鑑み、手動の操作を必要とせずに、注目すべき医用データをより見易い状態で表示させることができる医用データ表示制御装置および方法並びにプログラムを提供することを目的とするものである。
【課題を解決するための手段】
【０００７】
本発明の医用データ表示制御装置は、時系列で取得された医用データを表示画面に時間軸を用いて表示させる医用データ表示制御装置であって、医用データが取得された期間の全体または一部である対象期間において重要期間を特定する重要期間特定部と、表示画面上の医用データの表示を行うデータ表示領域内に対象期間の全ての医用データを一定尺度の時間軸で表示しようとした場合に取り得る時間軸の尺度の最大値よりも大きい尺度の時間軸を用いて、前記特定された重要期間の医用データを表示させる表示制御部とを備えたことを特徴とする。
【０００８】
ここで、時間軸の尺度は、単位期間当たりの時間軸方向の長さを意味する。たとえば、尺度が１cm／月とは、１月の期間の医用データを表示画面上に１cmの長さで表すことを示す。
【０００９】
また、重要期間特定部により特定される重要期間の数は、１つでもよいし複数でもよい。
【００１０】
本発明の医用データ表示制御装置において、表示制御部は、前記特定された重要期間以外の期間の医用データを、データ表示領域内に対象期間の全ての医用データを一定尺度の時間軸で表示しようとした場合に取り得る時間軸の尺度の最大値よりも小さい尺度の時間軸を用いて、表示させるものであってもよい。
【００１１】
また、表示制御部は、前記特定された重要期間以外の期間の医用データを非表示にするものであってもよい。
【００１２】
重要期間特定部は、
（１）手術を受けた期間、
（２）集中治療室に在室した期間、
（３）医用データの予め定められた回数以上閲覧された期間、
（４）予め定められた判断基準により異常と判断される医用データが発生した期間、
（５）予め定められた範囲を超えた医用データの変化が存在する期間、および
（６）予め定められた特定の薬を投与した期間
の少なくとも１つに該当する期間を重要期間として特定するものであってもよい。
【００１３】
表示制御部は、表示画面上に一定尺度の時間軸を表示させる領域を設け、該領域上の重要期間に対応する位置に該重要期間が前記（１）乃至（６）のいずれに該当する期間であるかを表すマークを表示させるものであってもよい。
【００１４】
表示制御部は、前記表示されたマークに該マークに対応する重要期間を対応づけて記憶し、表示画面上の任意の位置を指定する入力部により、前記表示されたマークのいずれかを指定するユーザによる入力に応じて、該指定されたマークに対応付けられている重要期間の医用データのみをデータ表示領域に表示させるものであってもよい。
【００１５】
表示制御部は、データ表示領域内に対象期間の全ての医用データを一定尺度の時間軸で表示しようとした場合に取り得る時間軸の尺度の最大値を１としたときの前記特定された重要期間の医用データの表示に用いる時間軸の尺度の比率Ｒａに１より大きい値を与え、前記特定された重要期間以外の期間の医用データの表示に用いる時間軸の尺度の比率Ｒｂを、下記式（１）により決定するものであってもよい。
Ｐｔ＝ Ｒａ×Ｐａ + Ｒｂ×Ｐｂ        ・・・・・（１）
ただし、Ｐｔは、対象期間の長さであり、Ｐａは、前記特定された重要期間の合計長さであり、Ｐｂは、対象期間のうち前記特定された重要期間以外の期間の合計長さである。
【００１６】
本発明による医用データ表示制御方法は、一台または複数台のコンピュータに、上記本発明の医用データ表示制御装置の各部が行う処理を実行させる方法である。
【００１７】
本発明による医用データ表示制御プログラムは、一台または複数台のコンピュータを、上記本発明の医用データ表示制御装置の各部として機能させるプログラムである。このプログラムは、ＣＤ−ＲＯＭ，ＤＶＤなどの記録メディアに記録され、またはサーバコンピュータに付属するストレージやネットワークストレージにダウンロード可能な状態で記録されて、ユーザに提供される。
【発明の効果】
【００１８】
本発明の医用データ表示制御装置および方法並びにプログラムによれば、時系列で取得された医用データを表示画面に時間軸を用いて表示させる際、前記医用データが取得された期間の全体または一部である対象期間において重要期間を特定し、前記表示画面上の前記医用データの表示を行うデータ表示領域内に前記対象期間の全ての医用データを一定尺度の時間軸で表示しようとした場合に取り得る時間軸の尺度の最大値よりも大きい尺度の時間軸を用いて、前記特定された重要期間の医用データを表示させるようにしたので、すなわち自動で重要期間を特定し、その特定された重要期間の医用データをより広い表示領域に表示させるようにしたので、ユーザは、手動の操作を必要とせずに、注目すべき医用データをより見易い状態で観察することができる。
【図面の簡単な説明】
【００１９】
【図１】本発明の医用データ表示制御装置の一実施形態を用いた医用情報表示システムの概略構成を示すブロック図
【図２】本発明を適用する前の医用データ表示画面の一例を示す図
【図３】対象期間を一定尺度の時間軸で表示した場合の医用データ表示画面の一例を示す図
【図４】本発明を適用した後の医用データ表示画面の一例を示す図（その１）
【図５】本発明を適用した後の医用データ表示画面の一例を示す図（その２）
【発明を実施するための形態】
【００２０】
以下、本発明の医用データ表示制御装置および方法並びにプログラムの実施形態を用いた医用情報表示システムについて、図面を参照しながら説明する。図１は、本実施形態の医用情報表示システム１の概略構成を示すブロック図である。
【００２１】
本実施形態の医用情報表示システム１は、図１に示すように、医用データ表示制御装置１０と、診療科端末２０と、電子カルテシステム３０と、検査部門システム４０と、画像診断システム５０とを備えている。診療情報システム１における医用情報表示制御装置１０と、診療科端末２０と、各システム３０〜５０とは、たとえば有線または無線ＬＡＮや、インターネット回線などのネットワークを介して接続されている。
【００２２】
医用情報表示制御装置１０は、患者に関する医用データを診療科端末２０、電子カルテシステム３０、検査部門システム４０および画像診断システム５０からそれぞれ収集し、その収集した医用データを統合した医用データ表示画面を生成して診療科端末２０に表示させるものである。具体的には、医用データ表示制御装置１０は、図１に示すように、医用データ取得部１１と、医用データ記憶部１２と、表示制御部１３と、重要期間特定部１４と、対象期間設定部１５とを備えている。
【００２３】
医用データ表示制御装置１０は、コンピュータに本発明の医用データ表示制御プログラムをインストールしたものである。そして、中央処理装置（ＣＰＵ）によって上記医用データ表示制御プログラムが実行されることによって上述した医用データ取得部１１と、医用データ記憶部１２と、表示制御部１３と、重要期間特定部１４と、対象期間設定部１５とが機能する。上記医用データ表示制御プログラムは、ＣＤ−ＲＯＭなどの記録媒体に記録されたものでもよいし、インターネットを経由してサーバなどからダウンロードしたものでもよい。
【００２４】
医用データ取得部１１は、診療科端末２０において入力された患者の識別情報に基づいて、その患者の識別情報に紐付けされた医用データをネットワークを介して上記システムの各サーバから取得するものである。医用データには、その患者の名前や年齢や性別などといった基本データ、投薬や注射などの処理データ、検体検査やバイタルなどの検査データなどがある。
【００２５】
医用データ取得部１１は、患者の識別情報に基づいて各サーバから収集された医用データを一旦、医用データ記憶部１２に記憶するものである。医用データ記憶部１２は、ハードディスクなどのストレージデバイスから構成されるものである。
【００２６】
表示制御部１３は、医用データ取得部１１から出力された患者の医用データに基づいて医用データ表示画面を生成し、その医用データ表示画面を診療科端末２０に出力して表示させるものである。
【００２７】
ここで、図２乃至図４を参照して表示制御部１３において生成される医用データ表示画面について説明する。医用データ表示画面は、図２に示すように、基本情報表示領域Ｒ１と、アウトライン表示領域Ｒ２と、投薬・注射データ表示領域Ｒ３と、検査データ表示領域Ｒ４と、投薬・注射リスト表示領域Ｒ６と、検査項目リスト表示領域Ｒ７とを備えている。
【００２８】
基本情報表示領域Ｒ１は、患者の識別情報（患者ＩＤ）、名前、年齢、性別、既往歴などといった基本データが表示される領域である。また、既往歴については、図２に示すように、各疾患に対してチェックボックスが表示される。そして、このチェックボックスがチェックされることによって注目する疾患が指定され、その疾患に関する医用データが表示される。
【００２９】
アウトライン表示領域Ｒ２は、一定尺度の時間軸上に、外来・入退院などの患者の医療履歴や、投薬・注射データ表示領域Ｒ３と検査データ表示領域Ｒ４に表示する医用データの対象期間が表示される領域である。図２に示すように、外来日は逆三角形のマークＭ１で表され、入院から退院までの期間は円形のマークＭ２と四角形のマークＭ３を繋ぐ横棒Ｍ４で表される。また、医用データの対象期間は矩形の枠Ｐｔで表される。
【００３０】
投薬・注射データ表示領域Ｒ３は、患者が投薬や注射などの処置を受けた期間が横棒グラフで表示される領域であり、検査データ表示領域Ｒ４は、検査データが折れ線グラフで表示される領域であり、投薬・注射データ表示領域Ｒ３と検査データ表示領域Ｒ４では、共通の時間軸Ｔに沿って各対応する医用データが表示される。
【００３１】
投薬・注射リスト表示領域Ｒ６は、投薬・注射データ表示領域Ｒ３に表示された各投薬・注射期間において投薬や注射された薬剤の種類がリスト表示される領域である。投薬・注射リスト表示領域Ｒ６には、薬剤がリスト表示されるとともに、各薬剤に対してチェックボックスが表示される。そして、このチェックボックスがチェックされた薬剤の投薬・注射期間が、投薬・注射データ表示領域Ｒ３において表示される。
【００３２】
検査項目リスト表示領域Ｒ７は、検査データ表示領域Ｒ４に表示された検査データの検査項目がリスト表示される領域である。検査項目リスト表示領域Ｒ７には、検査項目がリスト表示されるとともに、その各検査項目に対してチェックボックスが表示される。そして、このチェックボックスがチェックされた検査項目の検査データが、検査データ表示領域Ｒ４において表示される。
【００３３】
図１に戻り、対象期間設定部１５は、手動または自動で、投薬・注射データ表示領域Ｒ３と検査データ表示領域Ｒ４に表示する医用データの対象期間を設定し、その対象期間の情報を医用データ取得部１１、重要期間設定部１４などに出力するものである。対象期間を手動で設定する場合には、ユーザによる対象期間を指定するユーザによる入力を受け付け、その指定された期間を対象期間として設定する。たとえば、対象期間の開始日の日付と終了日の日付を指定するユーザによる入力を受け付け、その開始日と終了日の間の期間を対象期間として設定する。対象期間を自動で設定する場合には、医用データが取得された期間の全体、現時点に至るまでの所定長さの期間、直近のデータ表示期間などの予め設定された条件に対応する期間を対象期間として設定する。
【００３４】
そして、上述した医用データ取得部１１は、対象期間設定部１５から入力された対象期間の情報に基づいて、上記システムの各サーバから対象期間内の医用データを取得し、その医用データを表示制御部１３、重要期間特定部１４などに出力する。
【００３５】
重要期間特定部１４は、上記設定された対象期間において重要期間を特定する。ここでいう重要期間とは、医師が患者の診断・治療を行う上で注目すべき医用データが取得された期間である。たとえば、下記（１）乃至（６）少なくとも１つに該当する期間を重要期間として特定することができる。
（１）患者が手術を受けた期間、
（２）患者が集中治療室に在室した期間、
（３）医者等により医用データの予め定められた回数以上閲覧された期間、
（４）予め定められた判断基準により異常と判断されるデータが発生した期間、
（５）予め定められた範囲を超えたデータの変化が存在する期間
（６）予め定められた特定の薬を投与した期間
【００３６】
ここで、上記（３）の期間は、医用データが閲覧される度にその医用データの閲覧された期間を記録として残しておき、その記録された期間の重複を調べることにより、特定することができる。なお、この期間は、一人の医者（又は閲覧権限を有する者）が繰り返し閲覧した医用データの期間であってもよいし、複数人の医者が重複して閲覧した医用データの期間であってもよい。
【００３７】
また、上記（４）の期間には、たとえば一連の数値データからなる医用データが所定の基準値範囲を外れた状態が所定期間以上続いた期間や、一連の数値データからなる医用データが所定の基準値範囲を外れた傾き（所定値以上または所定値以下の傾き）で異常方向に上昇あるいは低下した期間、所定の基準値範囲を外れた医用データとその前後いくつかのデータを含む期間などがある。また、上記（５）の期間は、たとえば一連の数値データからなる医用データが所定の基準値範囲を外れた傾き（所定値以上または所定値以下の傾き）で上昇あるいは低下した期間を意味する。
【００３８】
表示制御部１３は、上述のように医用データ表示画面を生成し表示させる際に、データ表示領域（投薬・注射データ表示領域Ｒ３と検査データ表示領域Ｒ４）の表示に用いる時間軸Ｔの尺度を適宜設定・変更する機能を有する。表示制御部１３は、データ表示領域内に前記設定された対象期間の全ての医用データが一定尺度の時間軸で表された第１の医用データ表示画面を初期画面として表示させ、その後、前記特定された重要時期の医用データの表示に用いる時間軸の尺度として初期画面に用いられた時間軸の尺度よりも大きい尺度を指定するユーザによる入力を受け付けた場合に、重要時期についてはその指定された尺度の採用によってその表示領域の幅（表示画面上の長さ）をより広くし、それに合わせてその他の期間については表示領域の幅を小さくした第２の医用データ表示画面へ表示を切り替えることができる。このとき、第１の医用データ表示画面における時間軸の尺度Ｓｉは、たとえば下記式（２）により、データ表示領域の幅Ｗに基づいて算出し、設定することができる。たとえば、対象期間Ｐｔが２０１１年６月１日から２０１３年５月３１日までの２４ヶ月であり、表示領域の幅Ｗが２４cmである場合、尺度Ｓｉは１cm／月とすることができる。なお、下記式（２）により算出される時間軸の尺度Ｓｉは、本発明における「データ表示領域内に対象期間の全ての医用データを一定尺度の時間軸で表示しようとした場合に取り得る時間軸の尺度の最大値」に対応する。
Ｓｉ＝Ｗ÷Ｐｔ        ・・・・・（２）
ただし、Ｐｔは、対象期間の長さ（対象期間の開始日時から終了日時までの時間の長さ）であり、Ｗは、データ表示領域の幅（表示画面上の長さ）である。
【００３９】
また、第２の医用データ表示画面において、重要時期とそれ以外の時期に対して設定する時間軸の尺度は、たとえば、ユーザに、第１の医用データ表示画面における時間軸の尺度Ｓｉを１としたときの重要期間の医用データの表示に用いる時間軸の尺度の比率Ｒａとして、１より大きい値を指定させ、重要期間以外の期間の医用データの表示に用いる時間軸の尺度の比率Ｒｂを、下記式（１）により算出することにより、決定することができる。
Ｐｔ＝ Ｒａ×Ｐａ + Ｒｂ×Ｐｂ        ・・・・・（１）
ただし、Ｐａは、重要期間の合計長さであり、Ｐｂは、対象期間のうち重要期間以外の期間の合計長さである。
【００４０】
たとえば、対象期間の長さＰｔが２６ヶ月であり、重要期間の合計長さＰａが６ヶ月であり、重要期間以外の期間の合計長さＰｂが２０ヶ月である場合に、比率Ｒａに３を与え、比率Ｒｂは０．４とすることができる。この場合、重要期間の表示は３倍に拡大され、重要期間以外の期間の表示は０．４倍に縮小される。また、比率Ｒａに２を与え、比率Ｒｂは０．７とすることもできる。この場合は、重要期間の表示は２倍に拡大され、重要期間以外の期間の表示は０．７倍に縮小される。
【００４１】
図３は、データ表示領域内に対象期間の全ての医用データが一定尺度の時間軸で表された第１の医用データ表示画面の一例を示す図であり、図４は、本発明を適用することにより、重要時期とそれ以外の時期にそれぞれ異なる大きさの尺度が設定された第１の医用データ表示画面の一例を示す図である。図３と図４には、同じ６つの重要時期をそれぞれハッチングを付して表しており、図４の各ハッチングが付された領域の幅が図３の各対応するハッチングが付された領域よりも広くなっていることが、その各領域に対する時間軸の尺度が大きくなっていることを意味する。これにより、図４の医用データ表示画面では、各重要期間の医用データが図３の医用データ表示画面よりも広い表示領域に表示され、個々の医用データがより見易い状態となっている。
【００４２】
なお、上述の説明では、初期画面として第１の医用データ表示画面を表示させてから、第２の医用データ表示画面を表示させるようにした場合について説明したが、第１の医用データ表示画面の表示を省略し、第２の医用データ表示画面を初期画面として表示させるようにしてもよい。具体的には、対象期間が設定されたところで、その設定された対象期間の長さＰｔとデータ表示領域の幅Ｗを上記式（２）に代入することにより尺度Ｓｉを求め、求められた尺度Ｓｉに、上記式（１）を満たすように予め設定されたデフォルトの比率Ｒａ（Ｒａ＞１），Ｒｂの値を掛け算して重要時期とそれ以外の時期に対して設定する時間軸の尺度を求める。そして、各設定された重要時期とそれ以外の時期に対する時間軸の尺度により、第２の医用データ表示画面を生成し表示させる。これにより、手動または自動で対象期間が設定されたら、その後特に手動の入力を要することなく、初期画面として第２の医用データ表示画面の表示を行うことができる。
【００４３】
また、表示制御部１３は、アウトライン表示領域Ｒ２上に、各重要期間を表す矩形の枠Ｐａ１〜Ｐａ６と、その各重要期間が上記（１）乃至（６）のいずれに該当する期間であるかを表すマークＭ１１〜Ｍ２１を表示させるものである。図３の表示例では、重要期間が上記（１）に該当する期間であることは雷マークで、上記（２）に該当する期間であることはＩＣＵという表記のマークで、上記（３）に該当する期間であることは目のマークで、上記（４）に該当する期間であることは爆発のマークで、上記（６）に該当する期間であることは注射のマークで表されている。このマーク表示機能により、ユーザは注目する重要期間に付与されたマークを参照することでその重要期間の性質（重要期間として判断された理由など）を簡単に把握することができる。
【００４４】
さらに、表示制御部１３は、アウトライン表示領域Ｒ２上に表示された各マークにそのマークに対応する重要期間を対応づけて記憶し、診療科端末２０からのその表示されたマークのいずれかを指定するユーザによる入力に受け付け、指定されたマークに対応付けられている重要期間の医用データのみを投薬・注射データ表示領域Ｒ３と検査データ表示領域Ｒ４に表示させる機能を有する。図３の表示例では、マークＭ１１〜Ｍ１３にはそれぞれ重要期間Ｐａ１が対応づけて記憶され、マークＭ１４、Ｍ１５にはそれぞれ重要期間Ｐａ２が、マークＭ１６には重要期間Ｐａ３が、マークＭ１７には重要期間Ｐａ４が、マークＭ１８〜Ｍ２０のそれぞれには重要期間Ｐａ５が、マークＭ２１には重要期間Ｐａ６が対応づけて記憶される。このリンク機能により、ユーザは、注目する重要期間の医用データをより効率的に参照することができる。
【００４５】
また、表示制御部１３は、検査データ表示領域Ｒ４上に検査データをプロットして表示させる際に、表示期間に対して表示領域が小さく、検査データを表す点同士が重なってしまう場合には、検査データの点を重ねて表示することに代えて、たとえば、重なる点内での最大値（または最小値）のみを表示するようにしてもよいし、重なる点の平均値を表示するようにしてもよい。この場合、表示する点の形を変えることで、表示されていない点があることを明示するとよい。また、最大値と最小値を表す縦線上に平均値を表す横線を書き加えたようなローソク足の図を表示するようにしてもよい。
【００４６】
診療科端末２０は、ディスプレイとキーボードおよびマウスなどを備えたものである。診療科端末２０のディスプレイは、図４に示す医用データ表示画面を表示するものである。また、診療科端末２０のキーボードおよびマウスは、患者の識別情報の入力や、上述した医用データの対称期間の入力や、上述したチェックボックスの指定入力などを受け付けるものである。
【００４７】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および注射の薬剤の種類や投薬期間、既往歴などの情報が含まれている。
【００４８】
検査部門システム４０は、複数の患者の検査データを管理するシステムである。検査部門システム４０は、検査データ保管サーバ４１を備えており、この検査データ保管サーバ４１には、各患者の複数の検査項目の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。
【００４９】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などが患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。画像診断システム５０は、診療科端末２０において入力された患者の識別情報を取得し、その識別情報に紐付けされた放射線画像やその読影レポートを診療情報表示制御装置１０に出力するものである。
【００５０】
上記構成により、本実施形態の医用情報表示システム１によれば、時系列で取得された医用データを表示画面に時間軸を用いて表示させる際、重要期間特定部１４により、医用データが取得された期間の全体または一部である対象期間において重要期間を自動的に特定し、表示制御部１３により、表示画面上の医用データの表示を行うデータ表示領域（投薬・注射データ表示領域Ｒ３及び検査データ表示領域Ｒ４の）内に対象期間の全ての医用データを一定尺度の時間軸で表示しようとした場合に取り得る時間軸の尺度の最大値よりも大きい尺度の時間軸を用いて、重要期間の医用データを表示させるようにしたので、ユーザによる手動の操作を必要とせずに、注目すべき医用データをより見易い状態で表示させることができる。
【００５１】
なお、本実施形態では、重要期間以外の期間の医用データを時間軸の尺度を小さくして表示させることにより、時間軸の連続性を保ったまま重要データをより見やすくするようにした場合について説明したが、これに代えて、たとえば図５に示すように、重要期間以外の期間の医用データを非表示にしてもよい。図５では、重要期間の医用データのみを時間軸の尺度を大きくして表示させており、重要期間と重要期間の間に間隔を置いて見やすくしている。このように、重要期間以外の期間の医用データを非表示にした場合には、データ表示領域の限られたスペースに表示する情報量を削減することで、重要期間の医用データをより効率的に観察することができる。
【００５２】
また、上記実施の形態では、表示制御部１３が、マーク表示機能やリンク機能を備えたものである場合について説明したが、それらの機能は必ずしも必要ではなく、必要に応じて備えるとよい。
【００５３】
また、上記実施の形態では、重要期間が複数である場合を例示したが、重要期間特定部１４により特定される重要期間の数は１つでもよい。
【００５４】
また、上記実施の形態では、グラフ形式による医用データの表示に本発明を適用した場合について説明したが、これに限らず、たとえば、表形式による医用データの表示など他の形式での医用データの表示にも本発明を適用することができる。
【符号の説明】
【００５５】
１     医用データ表示システム
１０   医用データ表示制御装置
１１   医用データ取得部
１２   医用データ記憶部
１３   表示制御部
１４   重要期間特定部
１５   対象期間設定部
２０   診療科端末
３０   電子カルテシステム
３１   電子カルテ保管サーバ
４０   検査部門システム
４１   検査データ保管サーバ
５０   画像診断システム
５１   画像管理サーバ
５２   読影レポートサーバ
Ｐｔ   対象期間
Ｐａ１〜Ｐａ７ 重要期間
Ｒ２   アウトライン表示領域
Ｒ３   投薬・注射データ表示領域
Ｒ４   検査データ表示領域
【図１】
2014232404.tif 000003
【図２】
2014232404.tif 000004
【図３】
2014232404.tif 000005
【図４】
2014232404.tif 000006
【図５】
2014232404.tif 000007